(57)【特許請求の範囲】
【請求項１】
天井面に臨む吹出開口を有するチャンバと、前記チャンバ内へ調和空気を導入するネックと、前記吹出開口に着脱可能に装着されたフェースユニットとを備えた空調用吹出口において、前記フェースユニットを、前記チャンバ内部側に配置され部分的開度調節が可能なシャッタと、前記シャッタの下方に配置され調和空気吹出方向が異なる複数の吹出領域を有する気流案内部材とで構成し、
前記気流案内部材で設定された吹出領域ごとに前記シャッタの開度調節が可能であり、
前記シャッタとその下方に配置された前記気流案内部材との間隙に、前記気流案内部材で設定された吹出領域を区画する気流遮蔽部材を設け、
前記気流案内部材の下方に、通気性を有するフェースを配置したことを特徴とする空調用吹出口。
【請求項２】
前記シャッタおよび前記気流案内部材が、板材に切れ目を入れその一部を起立させた羽根を有するものである請求項１記載の空調用吹出口。
【請求項３】
前記チャンバ内に消火用散水器具を組み込み可能とした請求項１または２記載のいずれかに空調用吹出口。
【発明の詳細な説明】
【０００１】
【発明の属する技術分野】
本発明は、空調装置から送給される調和空気を室内に供給するため天井に配置される空調用吹出口に関する。
【０００２】
【従来の技術】
オフィスビルなどの建築物の空調設備においては、空気調和装置から送給される調和空気を室内に供給するため天井に空調用吹出口が配置されている。空調用吹出口としては、従来より種々のものが提案されているが、箱体状のチャンバに調和空気を導入するネックと調和空気を噴出する吹出開口とを設け、この吹出開口に通気性を有するフェースユニットが装着された構造のものが多い。
【０００３】
オフィスビルの事務室などにおいては、比較的低温を好む人や比較的高温を好む人が同じ部屋で仕事をしている場合が多く、均等に空調空気を吹出す設備では、居住者の求める空調状態が実現できず、また、吹出口の近くに壁や間仕切りなどの障害物があると、ドラフトなどの空調における不快現象が発生しやすい。
【０００４】
このような問題を解決するため、調和空気の吹出方向を４方向から３方向あるいは２方向に固定することによって吹出方向を指定した吹出口や、取り外し可能な化粧板の真上に風向ベーンを設け、この風向ベーンの取り付け方向を変更して気流の吹出方向を変更させるものや、風量調整用のダンパを吹出チャンバのネック部など化粧面から離れた位置に設けて吹出口の吹出風量全体を調整するものなどが提案され、特開平８−１２１８５２号公報、実公平３―５６８４０号公報、実開平３―１８４４４号公報において開示されている。
【０００５】
【発明が解決しようとする課題】
従来の空調用吹出口における調和空気の吹出方向は、予め設定された複数方向のうちから４方向、３方向あるいは２方向などと選択することはできるが、単に吹出方向の個数を変更、選択するだけの機能であり、調和空気の吹出風量についても吹出口全体の風量を増減するのみであるため、居住者の求める空調を実現することが難しい。
【０００６】
また、従来の空調用吹出口は、予め設定された吹出方向の範囲内での選択しかできないので、居室のレイアウト変更を行って室内状況が変化したような場合、変更後の室内状況に対応した適切な空調を行うことができない。このため、吹出口の近くに間仕切りなどの障害物が配置されると、ドラフトなどの空調における不快現象が発生しやすくなる。
【０００７】
さらに、従来の空調用吹出口にスプリンクラーヘッドなど消火用散水器具が組み込まれている場合、消火用散水器具を一旦設置すると、この消火用散水器具への水道配管の関係上、吹出方向を変更するための吹出口の交換は難となる。
【０００８】
本発明が解決しようとする課題は、調和空気の吹出領域を複数備え、各吹出領域ごとの吹出方向、吹出風量を任意に設定、変更することができる空調用吹出口を提供することにある。
【０００９】
【課題を解決するための手段】
本発明の空調用吹出口は、天井面に臨む吹出開口を有するチャンバと、前記チャンバ内へ調和空気を導入するネックと、前記吹出開口に着脱可能に装着されたフェースユニットとを備えた空調用吹出口において、前記フェースユニットを、前記チャンバ内部側に配置され部分的開度調節が可能なシャッタと、前記シャッタの下方に配置され調和空気吹出方向が異なる複数の吹出領域を有する気流案内部材とで構成し、
前記気流案内部材で設定された吹出領域ごとに前記シャッタの開度調節が可能であり、
前記シャッタとその下方に配置された前記気流案内部材との間隙に、前記気流案内部材で設定された吹出領域を区画する気流遮蔽部材を設け、
前記気流案内部材の下方に、通気性を有するフェースを配置したことを特徴とする。
【００１０】
このような構成とすれば、気流案内部材の各吹出領域ごとに調和空気の吹出方向を任意に設定することが可能であり、この気流案内部材の上方に配置されたシャッタの開度を部分的に調節することにより、当該シャッタを通過して気流案内部材に到達する調和空気量が吹出領域ごとに異なるように設定することができるため、各吹出領域から吹き出す調和空気の風量を任意に設定、変更することができるようになる。
【００１１】
したがって、各吹出領域ごとの吹出風量の調節が可能であり、例えば、冷房された居室内で比較的高温を好む人が居る方向への吹出風量を少なくしたり、間仕切りなどの障害物がある方向への調和空気流の到達距離を短くしてドラフトの発生を防止したりすることができる。これによって、居住者の要請に応じた微妙な気流調節が可能となり、居室のレイアウト変更にも的確に対応することができて、居住者に最適な空調を実現することができる。なお、気流案内部材とは、ここを通過する調和空気を所定方向へ導く機能を有する部材であり、いわゆる角アネモやシンメトリ型といった多層コーン型のものなども含んでいる。
【００１２】
ここで、前記シャッタおよび前記気流案内部材を、板材に切れ目を入れその一部を起立させた羽根を有するものとすることにより、簡易な工程で多種多様の気流調節機能を有するシャッタおよび気流案内部材を製作することができ、羽根の起立角度を変更するだけでシャッタおよび気流案内部材を通過する調和空気の風量と風向を容易に設定することが可能となる。
【００１３】
また、前記気流案内部材で設定された吹出領域ごとに前記シャッタの開度調節を可能としたことにより、気流案内部材の各吹出領域とシャッタの各制御領域とを一致させることができるので、それぞれ吹出領域に該当する部分に位置するシャッタの開度を変化させるだけで当該吹出領域からの吹出風量を確実に調節することが可能となる。また、吹出領域を細かく区分した気流案内部材とすることにより、小区分された羽根群のうち特定のものだけを全閉し他は全開するという、羽根を特定角度にする調節方法に比べ、吹出領域ごとの風量調節の再現性を飛躍的に向上させることができる。
【００１４】
また、前記シャッタと前記気流案内部材との間隙に、前記気流案内部材で設定された吹出領域を区画する気流遮蔽部材を設けたことにより、シャッタを通過した調和空気がシャッタと気流案内部材との間隙を移動して隣接する吹出領域へ流入するのを防止できるので、シャッタおよび気流案内部材で設定された各吹出領域ごとの風向と風量が正確に維持され、風量調節および風向調節を確実に行うことができる。
【００１５】
さらに、前記気流案内部材の下方に、通気性を有するフェースを配置したことにより、居室内からは当該フェースのみが視認されシャッタおよび気流案内部材は視認されなくなるので、吹出領域ごとの吹出方向、吹出風量の設定状態がそれぞれ異なる複数の空調用吹出口が天井面に配置された場合でも、外観が統一され、視覚的な違和感を生じさせることがなくなる。なお、フェースとしては、金属または合成樹脂で形成された多孔板、網状体あるいは格子材などが好適である。
【００１６】
ここで、前記チャンバ内に消火用散水器具を組み込み可能な構成とすることができる。これにより、スプリンクラーなどの消火用散水器具が設けられた居室への設置が容易となり、当該居室のレイアウト変更後においても適切な風向、風量設定を行うことができるようになる。
【００１７】
【発明の実施の形態】
図１は本発明の第１実施形態である空調用吹出口の縦断面図、図２は前記空調用吹出口を構成するフェースユニットの平面図、図３は前記空調用吹出口の機能を示す縦断面図、図４〜図７は前記空調用吹出口による調和空気の吹出状態を示す説明図、図８は前記空調用吹出口の一部切欠底面図である。
【００１８】
図１および図２に示すように、本実施形態の空調用吹出口１は、天井面２に臨む吹出開口３を有するチャンバ４と、空調機（図示せず）から送給される調和空気をチャンバ４内へ導入するネック５と、吹出開口３に着脱可能に装着されたフェースユニット６とを備え、チャンバ４内には消火用散水器具Ｓが組み込まれている。フェースユニット６は、チャンバ４内部側に配置され部分的開度調節が可能なシャッタ７と、シャッタ７の下方に配置され調和空気吹出方向が互いに異なる複数の吹出領域を有する気流案内部材８などで構成されている。また、シャッタ７および気流案内部材８の中心部には、消火用散水器具Ｓの下端部を室内へ臨ませるための開口部９が設けられている。
【００１９】
シャッタ７は、略正方形の板材にその周縁と平行な複数の切れ目および対角線と平行な複数の切れ目を入れ、それぞれ周縁と平行な折り目で上方に起立させることによって形成された複数の台形状の羽根７ａを備えている。気流案内部材８も、シャッタ７と同様、略正方形の板材にその周縁と平行な複数の切れ目、周縁の垂直二等分線と平行な複数の切れ目および対角線と平行な複数の切れ目を入れて、それぞれ周縁と平行な折り目で上方に起立させることによって形成された複数の片脚台形状の複数の羽根８ａを備えている。シャッタ７の羽根７ａおよび気流案内部材８の羽根８ａはそれぞれの周縁と平行であり、それぞれ開口部９を同心状に取り囲むように配列され、それぞれの羽根７ａ，８ａは折り目を中心に折り曲げることによって起立角度を任意に設定、変更することができる。
【００２０】
このような構成とすることにより、シャッタ７および気流案内部材８はそれぞれの対角線を境界にして４つの領域に区画されるので、シャッタ７の羽根７ａの開度を調節することによってシャッタ７の各領域を通過する調和空気の風量を任意に設定、変更することができ、羽根８ａの起立角度を調節することにより、各吹出領域から吹き出される調和空気の吹出方向を任意に設定することができる。
【００２１】
すなわち、気流案内部材８の上方に配置されたシャッタ７の羽根７ａの開度を調節することにより、シャッタ７を通過して気流案内部材８に到達する調和空気量が気流案内部材８の吹出領域ごとに異なるように設定することが可能であり、これによって、気流案内部材８の各吹出領域からそれぞれ所定方向へ吹き出す調和空気の風量を各吹出領域ごとに任意に設定、変更することができる。
【００２２】
ここで、図３〜図７を参照して、空調用吹出口１の具体的機能および空調用吹出口１による調和空気の吹出状態について説明する。
【００２３】
図３（ａ）に示すように、気流案内部材８の羽根８ａを全て同じ角度で上方へ起立させた状態とし、シャッタ７の羽根７ａを全て直立させると、吹出口１から吹き出される調和空気の吹出方向および吹出風量はフェースユニット６の各周縁と直交する４方向について均等となる。すなわち、吹出口１のシャッタ７の羽根７ａを図４（ａ）に示す設定とすることにより、吹出口１から吹き出される調和空気の指向性は図４（ｂ）の曲線Ａで示すようになる。
【００２４】
また、図３（ｂ）に示すように、気流案内部材８の羽根８ａは前記状態のままにして、シャッタ７の羽根７ａのうち、フェースユニット６の一つの周縁と平行で中心側に位置する羽根７ａのみを水平に倒伏させると、吹出口１から吹き出される調和空気の指向性は図５（ｃ）の曲線Ｂで示すようになる。この場合、吹出口１のシャッタ７の羽根７ａは図５（ａ）に示す設定状態であるが、図５（ｂ）に示すように外側に位置する羽根７ａのみを水平倒伏させても曲線Ｂとほぼ同様の指向性が得られる。
【００２５】
次に、図３（ｃ）に示すように、気流案内部材８の羽根８ａは前記状態のままにして、シャッタ７の羽根７ａのうち、フェースユニット６の一つの周縁と平行な２枚の羽根７ａを両方とも水平に倒伏させると、吹出口１から吹き出される調和空気の指向性は図６（ｂ）の曲線Ｃで示すようになる。
【００２６】
また、気流案内部材８の羽根８ａは前記状態のままにして、図７（ａ）に示すように、シャッタ７の羽根７ａのうち、フェースユニット６の一つの周縁と平行な２枚の羽根７ａをいずれも斜めに起立した状態とすると、吹出口１から吹き出される調和空気の指向性は図７（ｂ）の曲線Ｄで示すようになる。
【００２７】
このように、気流案内部材８の羽根８ａの設定を一定状態に保持したまま、シャッタ７の羽根７ａの開度を調節することによって、気流案内部材８の各吹出領域ごとの風量を任意に設定、変更することができる。
【００２８】
したがって、冷房された居室内において、比較的高温を好む人が居る方向への吹出風量を少なくしたり、間仕切りなどの障害物がある方向への調和空気流の到達距離を短くしてドラフトの発生を防止したりすることができる。これによって、居住者の要請に応じた微妙な気流調節が可能であり、居室のレイアウト変更にも的確に対応することができ、居住者に最適な空調を実現することができる。
【００２９】
前述の説明において、気流案内部材８の羽根８ａは一定状態に保持されているが、羽根の形成位置、形状、面積、個数、起立角度、起立方向などが異なる気流案内部材を用いることによって空調空気の吹出領域、吹出方向を任意に設定することが可能であり、気流案内部材に設定された吹出領域と対応するようにシャッタの羽根を設けることにより、さらに細かな風向と風量の設定を行うことも可能である。
【００３０】
本実施形態では、シャッタ７、気流案内部材８はいずれも、板材に切れ目を入れその一部を起立させて複数の羽根７ａ，８ａを形成したものであるため、簡易な工程で多種多様の気流調節機能を有するシャッタ７、気流案内部材８を製作することができる。なお、本実施形態では、気流案内部材８の構造、製作工程などはシャッタ７と同等であるが、これに限定するものではなく、通過する調和空気を所定方向へ導く機能を有するものであれば、いわゆる角アネモやシンメトリ型といった多層コーン型のものなども気流案内部材として用いることができる。
【００３１】
また、気流案内部材８で設定された４つの吹出領域ごとにシャッタ７の開度調節が可能であるため、気流案内部材８の各吹出領域とシャッタ７の各制御領域とを一致させることができ、それぞれ吹出領域に該当する部分に位置するシャッタ７の羽根７ａの開度を変化させるだけで当該吹出領域の風量を確実に調節することができる。
【００３２】
また、シャッタ７と気流案内部材８との間隙においては、フェースユニット６の対角線に沿った部分および開口部９を囲む部分に、気流遮蔽部材１０を配置することによって気流案内部材８で設定された４つの吹出領域を区画している。このような気流遮蔽部材１０を配置することにより、シャッタ７を通過した調和空気がシャッタ７と気流案内部材８との間隙を移動して隣接する吹出領域へ流入するのを防止できるため、シャッタ７および気流案内部材８で設定された各吹出領域ごとの風向と風量が正確に維持され、風量調節および風向調節を確実に行うことができる。
【００３３】
一方、空調用吹出口１は、チャンバ４内に消火用散水器具Ｓを組み込み可能な構造であるため、スプリンクラーなどの消火用散水器具が設けられた居室への設置が容易であり、当該居室のレイアウト変更後においても、調和空気吹出口１を移動させることなく、フェースユニット６を構成するシャッタ７の羽根７ａの開度調節によって適切な風向と風量の設定を行うことができる。また、シャッタ７および気流案内部材８とは、羽根の形成位置、形状、面積、個数、起立角度、起立方向などが異なるシャッタおよび気流案内部材で構成された他のフェースユニットと交換して、前述と異なる風向、風量設定とすることも可能である。
【００３４】
また、空調用吹出口１においては、空調機（図示せず）から送給された調和空気を導入するネック５がチャンバ４の側面に設けられているが、ネック５を経由してチャンバ４内へ流入した調和空気流はシャッタ７によって整流されるので偏流が発生することがない。
【００３５】
さらに、空調用吹出口１においては、図８に示すように、気流案内部材８の下方に、通気性を有するフェース１１を配置しているため、居室内からは当該フェース１１のみが視認され、その上方にあるシャッタ７および気流案内部材８は視認されない。したがって、吹出領域ごとの吹出方向、吹出風量がそれぞれ異なる複数の空調用吹出口１が天井面に配置された場合でも、外観が統一され、視覚的な違和感が生じることがない。本実施形態においてフェース１１は金属製の多孔板で形成しているが、合成樹脂で形成された多孔板あるいは金属製または合成樹脂製の網状体や格子材なども好適に使用できる。
【００３６】
次に、図９を参照して、本発明の第２実施形態について説明する。図９に示すように、本実施形態の空調用吹出口２０は、天井面２１に臨む吹出開口２２を有するチャンバ２３と、空調機（図示せず）から送給される調和空気をチャンバ２３内へ調和空気を導入するネック２４と、吹出開口２２に着脱可能に装着されたフェースユニット２５とを備えている。
【００３７】
フェースユニット２５は、複数の羽根２６ａを有するシャッタ２６と、複数の羽根２７ａを有する気流案内部材２７とで構成され、シャッタ２６および気流案内部材２７の中央部が閉塞されている点、気流案内部材２７の羽根２７ａの枚数がその中央寄りに形成されている分だけ気流案内部材８の羽根８ａの枚数より多い点を除けば、前述したシャッタ７および気流案内部材８と同様の構造、機能を備えている。
【００３８】
空調用吹出口２０は、消火用散水器具が配置されていない天井面２１に設置するのに適したものであり、気流案内部材２７の上方に配置されたシャッタ２６の羽根２６ａの開度を調節することにより、シャッタ２６を通過して気流案内部材２７に到達する調和空気量が気流案内部材２７の吹出領域ごとに異なるように設定することが可能である。これによって、気流案内部材２７の各吹出領域からそれぞれ所定方向へ吹き出す調和空気の風量を各吹出領域ごとに任意に設定、変更することができるため、居住者に最適な空調を実現することができる。その他の部分の構造、機能および得られる効果などについては、第１実施形態の空調用吹出口１と同様である。
【００３９】
【発明の効果】
本発明により、以下に示す効果を奏する。
【００４０】
（１）チャンバと、ネックと、フェースユニットとを備えた空調用吹出口において、前記フェースユニットを、チャンバ内部側に配置され部分的開度調節が可能なシャッタと、シャッタの下方に配置され調和空気吹出方向が異なる複数の吹出領域を有する気流案内部材とで構成することにより、気流案内部材の各吹出領域ごとに調和空気の吹出方向および吹出風量を任意に設定、変更することができるようになり、居住者に最適な空調を実現することができる。
【００４１】
（２）前記シャッタおよび前記気流案内部材を、板材に切れ目を入れその一部を起立させた羽根を有するものとすることにより、簡易な工程で多種多様の気流調節機能を有するシャッタと気流案内部材を製作することが可能となり、それぞれの羽根の起立角度を変更することで調和空気の吹出風量と吹出風向を任意に設定、変更することができるようになる。
【００４２】
（３）前記気流案内部材で設定された吹出領域ごとにシャッタの開度調節を可能とすることにより、それぞれ吹出領域に該当する部分に位置するシャッタの開度を変化させるだけで当該吹出領域の風量を確実に調節することが可能となり、再現性に優れた風量調節を行うことができるようになる。
【００４３】
（４）前記シャッタと気流案内部材との間隙に、気流案内部材で設定された吹出領域を区画する気流遮蔽部材を設けることにより、シャッタおよび気流案内部材で設定された各吹出領域ごとの風向と風量が正確に維持され、風量調節および風向調節を確実に行うことができるようになる。
【００４４】
（５）前記気流案内部材の下方に、通気性を有するフェースを配置することにより、居室内から気流案内部材およびシャッタが視認されなくなるため、吹出方向や吹出風量の設定状態が異なる複数の空調用吹出口が天井面に配置された場合でも、外観が統一され、視覚的な違和感が生じることがなくなる。
【００４５】
（６）前記チャンバ内に消火用散水器具を組み込み可能とすることにより、スプリンクラーなどの消火用散水器具が設けられた居室への設置が容易となり、当該居室のレイアウト変更後においても適切な風向と風量の設定を行うことができるようになる。
【図面の簡単な説明】
【図１】  本発明の第１実施形態である空調用吹出口の縦断面図である。
【図２】  図２に示す空調用吹出口を構成するフェースユニットの平面図である。
【図３】  図１に示す空調用吹出口の機能を示す縦断面図である。
【図４】  図１に示す空調用吹出口による調和空気の吹出状態を示す説明図である。
【図５】  図１に示す空調用吹出口による調和空気の吹出状態を示す説明図である。
【図６】  図１に示す空調用吹出口による調和空気の吹出状態を示す説明図である。
【図７】  図１に示す空調用吹出口による調和空気の吹出状態を示す説明図である。
【図８】  図１に示す空調用吹出口の一部切欠底面図である。
【図９】  本発明の第２実施形態である空調用吹出口の縦断面図である。
【符号の説明】
１，２０  空調用吹出口
２，２１  天井面
３，２２  吹出開口
４，２３  チャンバ
５，２４  ネック
６，２５  フェースユニット
７，２６  シャッタ
８，２７  気流案内部材
７ａ，８ａ，２６ａ，２７ａ  羽根
９  開口部
１０  気流遮蔽部材
１１  フェース
２７  フェース
Ｓ  消火用散水器具
【図１】
0004671543.tif 000002
【図２】
0004671543.tif 000003
【図３】
0004671543.tif 000004
【図４】
0004671543.tif 000005
【図５】
0004671543.tif 000006
【図６】
0004671543.tif 000007
【図７】
0004671543.tif 000008
【図８】
0004671543.tif 000009
【図９】
0004671543.tif 000010